(57)【特許請求の範囲】
【請求項１】
高圧側の液冷媒を減圧膨張させる絞り通路穴（４８）と、
この絞り通路穴（４８）に対向配置された弁体（４７）と、
前記絞り通路穴（４８）を通過した低圧側２相冷媒を蒸発器（５）の入口に送り込む低圧側２相冷媒通路（４３）とを備え、
前記蒸発器（５）の出口側ガス冷媒の過熱度を感知して前記弁体（４７）を変位させて、前記絞り通路穴（４８）の開口面積を調整する空調装置用膨張弁において、
前記低圧側２相冷媒通路（４３）は円形断面の内壁面を有するように形成され、
前記絞り通路穴（４８）は前記円形断面の内壁面を貫通して前記低圧側２相冷媒通路（４３）内に連通するようになっており、
衝撃吸収性を有する緩衝部材（６０、７０、８０、９０）が円筒状に形成され、
前記円筒状の緩衝部材が、前記低圧側２相冷媒通路（４３）において前記絞り通路穴（４８）と対向する位置に前記円形断面の内壁面に沿って設置され、
前記円筒状の緩衝部材には前記絞り通路穴（４８）と一致する第１横穴（６１、７３、８３、９２）が形成され、
前記絞り通路穴（４８）を通過した低圧側２相冷媒が前記第１横穴を通過して前記円筒状の緩衝部材の内部へ噴出することを特徴とする空調装置用膨張弁。
【請求項２】
前記円筒状の緩衝部材（７０）は、前記絞り通路穴（４８）と対向する位置に配置された筒状部（７１）と、この筒状部（７１）の両端近傍にて外周側に突出する鍔部（７２）とを有し、
前記鍔部（７２）を前記低圧側２相冷媒通路（４３）の前記円形断面の内壁面に接触させるとともに、前記筒状部（７１）を前記円形断面の内壁面に対し非接触としたことを特徴とする請求項１に記載の空調装置用膨張弁。
【請求項３】
前記円筒状の緩衝部材（８０）は、前記絞り通路穴（４８）と対向する位置に配置された筒状の内管（８１）と、この内管（８１）の両端近傍にて前記内管（８１）の外周側に組み付けられた環状の支持部材（８２）とからなり、
前記支持部材（８２）を前記低圧側２相冷媒通路（４３）の前記円形断面の内壁面に接触させるとともに、前記内管（８１）を前記円形断面の内壁面に対し非接触としたことを特徴とする請求項１に記載の空調装置用膨張弁。
【請求項４】
前記円筒状の緩衝部材（９０）を金属製の筒状の管で構成し、この管の両端の一部を外周側に曲げて突起片（９１）を形成し、
前記円筒状の緩衝部材（９０）は前記突起片（９１）のみが前記低圧側２相冷媒通路（４３）の前記円形断面の内壁面に接触するようにしたことを特徴とする請求項１に記載の空調装置用膨張弁。
【請求項５】
前記円筒状の緩衝部材（６０、７０、８０、９０）には、前記第１横穴（６１、７３、８３、９２）と別の第２横穴（６２、７４、８４、９３）が形成され、
前記弁体（４７）を変位させるための弁作動棒（４６）が前記第１横穴および前記第２横穴を貫通して前記円筒状の緩衝部材および前記低圧側２相冷媒通路（４３）を横切るように配置されていることを特徴とする請求項１ないし４のいずれか１つに記載の空調装置用膨張弁。
【発明の詳細な説明】
【０００１】
【発明の属する技術分野】
本発明は、冷凍サイクルの蒸発器出口の冷媒過熱度が設定値に維持されるように蒸発器への流入冷媒の流量を調整する空調装置用膨張弁に関し、特にその騒音低減のための改良に関する。
【０００２】
【従来の技術】
この種の膨張弁は、冷凍サイクルの高圧側液冷媒が流入する高圧側液冷媒通路と、蒸発器入口に接続される低圧側２相冷媒通路との間に、微小な絞り通路穴を設置して、この絞り通路穴にて液冷媒を減圧、膨張させるとともに、ダイヤフラムで駆動される弁体によって絞り通路穴の開口面積を調整して、蒸発器への流入冷媒流量を調整するものである。
【０００３】
ところで、空調装置においては、特に空調装置起動直後のように冷媒が多量に流れる際に、膨張弁や蒸発器等が振動して騒音を発生するという問題がある。そして、特開平８−１３５８４１号公報には、膨張弁のダイヤフラムカバーに質量体を組み付けることにより、ダイヤフラムカバーの共振によって騒音が増幅されるのを防止するようにした膨張弁が示されている。
【０００４】
【発明が解決しようとする課題】
しかし、近年、車両用空調装置では、乗用車の高級化に伴って、車室内が非常に静かになっている。そのため、従来では気にならなかった音までが騒音として感じられるようになってきた。その結果、上述のような従来の対策だけでは騒音の低減が不十分となり、騒音をさらに低減させる要望が強くなっている。
【０００５】
そこで、本発明は上記点に鑑み、膨張弁や蒸発器等の振動を抑制して、騒音の一層の低減を図ることを目的とする。
【０００６】
【課題を解決するための手段】
本発明者が騒音の発生メカニズムについて検討したところ、膨張弁の絞り通路穴にて冷媒は気液２相の噴流となり、噴流中の液滴が絞り通路穴に対向する壁面に不連続的に衝突することによって膨張弁の本体が加振され、さらに膨張弁に接続された配管や蒸発器に振動が伝達されて、膨張弁や蒸発器等から騒音が発生していることが判明した。
【０００７】
本発明は、上記のように気液２相の噴流が絞り通路穴に対向する壁面に衝突することによって膨張弁が加振されることに着目して、上記目的を達成しようとするものである。
【０００８】
すなわち、請求項１記載の発明では、蒸発器（５）の出口側ガス冷媒の過熱度を感知して弁体（４７）を変位させて、絞り通路穴（４８）の開口面積を調整する空調装置用膨張弁において、
低圧側２相冷媒通路（４３）を円形断面の内壁面を有するように形成し、
絞り通路穴（４８）はこの円形断面の内壁面を貫通して低圧側２相冷媒通路（４３）内に連通するようになっており、
衝撃吸収性を有する緩衝部材（６０、７０、８０、９０）を円筒状に形成し、
この円筒状の緩衝部材を低圧側２相冷媒通路（４３）において絞り通路穴（４８）と対向する位置に円形断面の内壁面に沿って設置し、
円筒状の緩衝部材には絞り通路穴（４８）と一致する第１横穴（６１、７３、８３、９２）を形成し、
絞り通路穴（４８）を通過した低圧側２相冷媒が第１横穴を通過して円筒状の緩衝部材の内部へ噴出することを特徴としている。
【０００９】
これによると、絞り通路穴（４８）を通過した低圧側２相冷媒は円筒状の緩衝部材（６０、７０、８０、９０）の内壁面に衝突し、この衝突による加振力は緩衝部材（６０、７０、８０、９０）によって減衰されて膨張弁（４）の本体（４１）に伝達される。従って、膨張弁自体の振動が抑制され、さらに膨張弁（４）に接続された配管や蒸発器（５）の振動も抑制され、騒音を大幅に低減することができる。
【００１０】
請求項２記載の発明では、円筒状の緩衝部材（７０）は、絞り通路穴（４８）と対向する位置に配置された筒状部（７１）と、この筒状部（７１）の両端近傍にて外周側に突出する鍔部（７２）とを有し、
鍔部（７２）を低圧側２相冷媒通路（４３）の円形断面の内壁面に接触させるとともに、筒状部（７１）を円形断面の内壁面に対し非接触としたことを特徴としている。
【００１１】
これによると、低圧側２相冷媒の衝突による加振力は、筒状部（７１）内でその両端側に向かって伝達された後、鍔部（７２）を介して膨張弁（４）の本体（４１）に伝達されるため、振動伝播経路が長くなり、より大きな内部減衰効果が得られる。また、緩衝部材（７０）は両端支持のばね構造となるため、ばねマス系による振動減衰効果も得られる。従って、より一層騒音を低減することができる。
【００１２】
請求項３記載の発明では、円筒状の緩衝部材（８０）は、絞り通路穴（４８）と対向する位置に配置された筒状の内管（８１）と、この内管（８１）の両端近傍にて内管（８１）の外周側に組み付けられた環状の支持部材（８２）とからなり、
支持部材（８２）を低圧側２相冷媒通路（４３）の円形断面の内壁面に接触させるとともに、内管（８１）を円形断面の内壁面に対し非接触としたことを特徴としている。
【００１３】
これによると、請求項２記載の発明と同様の効果が得られる。また、内管（８１）と支持部材（８２）を別部材にしているから、最大の振動減衰効果を得るために、例えばそれらを異なる材質で形成することができる。
【００１４】
請求項４記載の発明では、円筒状の緩衝部材（９０）を金属製の筒状の管で構成し、この管の両端の一部を外周側に曲げて突起片（９１）を形成し、
円筒状の緩衝部材（９０）は突起片（９１）のみが低圧側２相冷媒通路（４３）の円形断面の内壁面に接触するようにしたことを特徴としている。
【００１５】
これによると、緩衝部材（９０）は、突起片（９１）がばね、突起片（９１）以外の部分がマスとなる、ばねマス系を形成し、このばねマス系による振動減衰効果により、膨張弁（４）や蒸発器（５）等の振動を抑制して騒音を低減することができる。
【００１６】
請求項５記載の発明のように、請求項１ないし４のいずれか１つに記載の空調装置用膨張弁において、円筒状の緩衝部材（６０、７０、８０、９０）には、第１横穴（６１、７３、８３、９２）と別の第２横穴（６２、７４、８４、９３）を形成し、
弁体（４７）を変位させるための弁作動棒（４６）を、第１横穴および第２横穴を貫通して円筒状の緩衝部材および低圧側２相冷媒通路（４３）を横切るように配置すればよい。
なお、上記各手段の括弧内の符号は、後述する実施形態記載の具体的手段との対応関係を示す
【００１７】
【発明の実施の形態】
以下本発明を図に示す実施形態に基づいて説明する。
【００１８】
（第１実施形態）
図１は第１実施形態の温度式膨張弁を含む車両用空調装置の冷凍サイクルを示しており、図中、１は圧縮機で、電磁クラッチ１ａを介して車両エンジンにより駆動される。２は凝縮器で、圧縮機１から吐出されたガス冷媒を図示しないファンによって送風される冷却空気（外気）により冷却し、凝縮するものである。
【００１９】
３はレシーバで、凝縮器３で凝縮した液冷媒を貯えて、液冷媒のみをその出口側に導出するものである。４はレシーバ３からの冷媒を減圧、膨張させる温度式膨張弁、５は蒸発器で、図示しない空調ユニットのケース内に収容され、図示しない空調用ファンによって送風される空調空気を冷却、除湿するものである。
【００２０】
上記した温度式膨張弁４は、アルミニウム等の金属で成形された縦長の直方体状の形状からなる本体４１を有している。この本体４１内には、高圧側液冷媒通路４２と低圧側２相冷媒通路４３と低圧側ガス冷媒通路４４とが形成されている。高圧側液冷媒通路４２は、レシーバ３の出口に接続されて高圧の液冷媒が送り込まれてくる。また、低圧側２相冷媒通路４３は、蒸発器５の入口に接続されて断熱膨張後の気液２相冷媒が送り出される。
【００２１】
また、低圧側ガス冷媒通路４４は、その一端が蒸発器５の出口側に接続され、他端が圧縮機１の吸入側に接続されて、蒸発器５で熱交換（吸熱）して蒸発したガス冷媒が通過するものである。この低圧側ガス冷媒通路４４にはアルミニウム等の熱伝導の良好な金属からなる感温棒（ヒートステム）４５が貫通するように配置され、この感温棒４５の下端には弁作動棒４６が当接し、さらにこの弁作動棒４６の下端には球状の弁体４７が当接するように配置されている。
【００２２】
前記した高圧側液冷媒通路４２は、高圧液冷媒を減圧膨張させる微小な絞り通路穴４８を介して低圧側２相冷媒通路４３に連通しており、絞り通路穴４８の開口面積が球状の弁体４７により調整されるようになっている。ここで、球状の弁体４７と絞り通路穴４８とにより、膨張弁の減圧機構を構成している。
【００２３】
また、感温棒４５の上端側はダイヤフラム（圧力応動部材）４９と当接し、このダイヤフラム４９により弁体４７は開弁方向（図１の下方）に付勢される。ここで、ダイヤフラム４９はダイヤフラムケース５０内に配設され、ダイヤフラムケース５０内の空間を上側の第１圧力室５１と下側の第２圧力室５２とに仕切っている。
【００２４】
上側の第１圧力室５１内には、冷凍サイクルが運転される条件下でほぼ飽和蒸気の状態となる冷媒が封入されている。従って、蒸発器５を出た冷媒、すなわち、低圧側ガス冷媒通路４４を通過するガス冷媒の温度変動（過熱度変動）が感温棒４５を伝わって第１圧力室５１内の冷媒に伝わることにより、第１圧力室５１内の冷媒圧力が変化する。
【００２５】
一方、ダイヤフラムケース５０内下側の第２圧力室５２は、感温棒４５と本体４１との間に形成される空間５６を通して低圧側ガス冷媒通路４４に常時連通して、この第２圧力室５２内は低圧側ガス冷媒通路４４と同一圧力になっている。
【００２６】
高圧側液冷媒通路４２内には弁体４７を閉弁方向に付勢するコイルばね（ばね手段）５３が配置されており、このコイルばね５３の一端部は支持台座５４を介して弁体４７にばね力を作用させる。コイルばね５３の他端部は金属プラグ５５により支持されており、この金属プラグ５５は本体４１のねじ穴に位置調整可能に固定され、金属プラグ５５の位置調整によりコイルばね５３の取付荷重を調整できる。
【００２７】
このような構成によって、第１、第２圧力室５１、５２の圧力と、コイルばね５３の力とのバランスで弁体４７が変位して、絞り通路穴４８の開口面積（弁開度）が最適となるように制御される。
【００２８】
本実施形態においては、断面が円形に形成された低圧側２相冷媒通路４３において、絞り通路穴４８と対向する位置に、ゴム（例えば、ＮＢＲ、ＨＮＢＲ）にて形成した衝撃吸収性（弾力性）を有する緩衝部材６０が設置されている。緩衝部材６０は、図２に示すように両端が開放された円筒状に形成され、軸方向中央部の筒部に、筒部を貫通する２つの横穴６１、６２が形成されている。
【００２９】
緩衝部材６０は、弁作動棒４６の組み付け前に本体４１に組み付けられ、低圧側２相冷媒通路４３の内壁面に密着して固定されている。この際、第１横穴６１が絞り通路穴４８と一致し、第２横穴６２が弁作動棒４６の挿入穴と一致するように、位置決めされている。なお、第１横穴６１の大きさは、冷媒の流れを阻害しないように絞り通路穴４８よりも少し大きくし、また第２横穴６２の大きさも、弁作動棒４６の動きを妨げないように弁作動棒４６より少し大きくしている。
【００３０】
次に、上記構成において作動を説明する。いま、図１の冷凍サイクルにおいて圧縮機１が作動し、サイクル内に冷媒が循環していると、膨張弁４の第１圧力室５１内の封入ガスに、感温棒４５を介して、通路４４内の蒸発器出口の過熱ガス冷媒温度が伝導されるので、第１圧力室５１内の圧力は通路４４の過熱ガス冷媒温度に応じた圧力となり、一方、第１圧力室５２内の圧力は通路４４の冷媒圧力となる。
【００３１】
従って、この両室５１、５２内の圧力差と、弁体４７を上方へ押圧するばね５３の取り付け荷重とのバランスで、弁体４７が変位することになる。そして、この弁体４７の変位により絞り通路穴４８の開度が調整され、冷媒流量が自動調整される。この冷媒流量の調整作用により、蒸発器出口のガス冷媒の過熱度が所定値に維持される。
【００３２】
ところで、絞り通路穴４８にて減圧、膨張された気液２相冷媒は、第１横穴６１内を通って低圧側２相冷媒通路４３に噴出し、緩衝部材６０の内壁面に衝突する。緩衝部材６０は衝撃吸収性を有するため、この衝突による加振力は緩衝部材６０によって内部減衰され、従って膨張弁の本体４１に伝わる振動は軽減される。これにより、膨張弁４自体の振動が抑制され、さらに膨張弁４に接続された配管や蒸発器５の振動も抑制されるため、膨張弁４や蒸発器５等の振動に基づく騒音（放射音）を大幅に低減することができる。
【００３３】
図３は冷凍サイクル起動時の騒音レベル変化を示すもので、ａは緩衝部材６０をＨＮＢＲにて形成した本発明品の特性を示し、ｂは緩衝部材６０をアルミニウムにて形成した本発明品の特性を示し、ｃは従来品の特性を示しており、本発明品の場合、冷凍サイクル起動後の騒音レベルを、従来品よりも低減できることがわかる。
【００３４】
（第２実施形態）
図４は第２実施形態を示しており、第１実施形態の円筒状の緩衝部材６０の代わりに、筒状部７１の両端に外周側に突出する円環状の鍔部７２を設けた緩衝部材７０を用いたものである。この緩衝部材７０は、第１実施形態の緩衝部材６０と同様の材質で形成されており、筒状部７１の軸方向中央部には、絞り通路穴４８と連通する第１横穴７３、および弁作動棒４６が貫通する第２横穴７４が形成されている。緩衝部材７０は低圧側２相冷媒通路４３中に配置され、鍔部７２が低圧側２相冷媒通路４３の内壁面に密着し、筒状部７１は低圧側２相冷媒通路４３の内壁面に対して非接触になっている。
【００３５】
本実施形態によれば、絞り通路穴４８にて減圧、膨張された気液２相冷媒は、第１横穴７３内を通って低圧側２相冷媒通路４３に噴出し、筒状部７１の内壁面に衝突する。ここで、筒状部７１は低圧側２相冷媒通路４３の内壁面に対して非接触であるため、低圧側２相冷媒の衝突による加振力は、筒状部７１内でその両端側に向かって伝達された後、鍔部７２を介して膨張弁４の本体４１に伝達される。従って、第１実施形態に比べ振動伝播経路が長くなり、より大きな内部減衰効果が得られる。また、緩衝部材７０は両端支持のばね構造となるため、ばねマス系による振動減衰効果も得られる。従って、第１実施形態よりも一層騒音を低減することができる。
【００３６】
（第３実施形態）
図５は第３実施形態を示しており、第２実施形態における緩衝部材７０の筒状部７１と鍔部７２を、別部材にしたものである。本実施形態の緩衝部材８０は、円筒状の内管８１と、この内管８１の両端外周側に組み付けられた円環状の支持部材８２とからなり、第１実施形態の緩衝部材６０と同様の材質で形成されている。内管８１の軸方向中央部には、絞り通路穴４８と連通する第１横穴８３、および弁作動棒４６が貫通する第２横穴８４が形成されている。緩衝部材８０は低圧側２相冷媒通路４３中に配置され、支持部材８２が低圧側２相冷媒通路４３の内壁面に密着し、内管８１は低圧側２相冷媒通路４３の内壁面に対して非接触になっている。従って、第２実施形態と同様の効果が得られる。
【００３７】
また、内管８１と支持部材８２を別部材にしているから、最大の振動減衰効果を得るために、例えばそれらを異なる材質で形成することができる。
【００３８】
（第４実施形態）
図６は第４実施形態を示しており、金属製の緩衝部材９０を用いている。この緩衝部材９０は円筒状の管で構成され、この管の両端の一部を外周側に曲げて複数個の突起片９１が形成されている。
そして、この突起片９１がばねとして機能するように、形状や材質等が設定されている。緩衝部材９０の軸方向中央部には、絞り通路穴４８と連通する第１横穴９２、および弁作動棒４６が貫通する第２横穴９３が形成されている。
【００３９】
緩衝部材９０は、突起片９１を弾性変形させて低圧側２相冷媒通路４３内に組み付けられ、これにより、緩衝部材９０は突起片９１にて弾性支持されている。また、緩衝部材９０は、突起片９１の先端のみが低圧側２相冷媒通路４３の内壁面に接触し、突起片９１以外の部分は低圧側２相冷媒通路４３の内壁面に対して非接触になっている。従って、緩衝部材９０は、突起片９１がばね、突起片９１以外の部分がマスとなる、ばねマス系を形成する。
【００４０】
本実施形態によれば、絞り通路穴４８にて減圧、膨張された気液２相冷媒は、第１横穴９２内を通って低圧側２相冷媒通路４３に噴出し、緩衝部材９０の内壁面に衝突する。ここで、ばねマス系を形成する緩衝部材９０の振動減衰効果により、２相冷媒の衝突による加振力は減衰される。従って膨張弁の本体４１に伝わる振動は軽減され、これにより、膨張弁４や蒸発器５等の振動に基づく騒音を大幅に低減することができる。
【００４１】
なお、上記第１〜第３実施形態では緩衝部材６０、７０、８０の材質がゴムであるものについて述べたが、緩衝部材６０、７０、８０は樹脂または金属性材料（例えばアルミニウム）を用いても、本体４１に伝わる衝撃を減衰させ、騒音を低減させることができる。従って、緩衝部材６０、７０、８０の材質としては、弾性体のみならず、本体４１に伝達される衝撃を減衰できる材質を用いることができる。
【図面の簡単な説明】
【図１】本発明の第１実施形態による膨張弁を含む冷凍サイクル図である。
【図２】図１の緩衝部材の拡大斜視図である。
【図３】本発明の効果説明図である。
【図４】本発明の第２実施形態を示す膨張弁の要部断面図である。
【図５】本発明の第３実施形態を示す膨張弁の要部断面図である。
【図６】本発明の第４実施形態を示す膨張弁の要部断面図である。
【符号の説明】
４…温度式膨張弁、５…蒸発器、４３…低圧側２相冷媒通路、
４７…弁体、４８…絞り通路穴、６０、７０、８０、９０…緩衝部材。
【図１】
0003843652.tif 000002
【図２】
0003843652.tif 000003
【図３】
0003843652.tif 000004
【図４】
0003843652.tif 000005
【図５】
0003843652.tif 000006
【図６】
0003843652.tif 000007